(57)【特許請求の範囲】
【請求項１】
内視鏡下外科手術において切除された組織を収容する袋状体と、該袋状体の開口部縁辺に列設された複数の紐通し孔と、該紐通し孔に挿通されて該袋状体の開口部を開閉自在とする閉じ紐とを備え、該組織を該袋状体に収容して体外に摘出し、回収する組織回収袋において、
前記袋状体は、前記開口部と反対側の端部を閉塞する第１のシーム部と、一方の側端縁に沿って延在する第２のシーム部とを備え、第２のシーム部と該側端縁との間に棒状部材を挿通可能なポケット部を備えることを特徴とする組織回収袋。
【請求項２】
請求項１記載の組織回収袋において、前記棒状部材は、鉗子であることを特徴とする組織回収袋。
【請求項３】
請求項１または請求項２記載の組織回収袋において、第２のシーム部は第１のシーム部に連接され、第１のシーム部から前記開口部方向に延在していることを特徴とする組織回収袋。
【発明の詳細な説明】
【技術分野】
【０００１】
本発明は、内視鏡下外科手術において切除された組織を収容して体外に摘出し、回収する組織回収袋に関する。
【背景技術】
【０００２】
従来、前記組織回収袋として、切除された組織を収容する袋状体と、該袋状体の開口部縁辺に列設された複数の紐通し孔と、該紐通し孔に挿通されて該袋状体の開口部を開閉自在とする閉じ紐とを備えるものが知られている（例えば特許文献１参照）。
【０００３】
前記組織回収袋は、ポリエチレン等の無毒性で肉薄柔軟な樹脂製であり、前記袋状体は長方形状の底部をくの字型とし、熱溶着によりシールされている。そして、切除された組織を前記袋状体に収容した後、前記閉じ紐を引くことにより、前記開口部を絞って閉じるようになっている。
【０００４】
前記組織回収袋は、使用に当たっては、前記底部を軸として円柱状に巻き取られ、内径５ｍｍ程度の外套管内に収納される。そして、前記組織回収袋は、前記外套管を切開孔から体腔内に導入した後、別の切開孔から体腔内に挿入された鉗子により該外套管から引き出され、展開されることにより使用に供される。
【先行技術文献】
【特許文献】
【０００５】
【特許文献１】実登第３０６３３９０号公報
【発明の概要】
【発明が解決しようとする課題】
【０００６】
しかしながら、前記従来の組織回収袋は、円柱状に巻き取られた状態で外套管内に収納されているので所謂巻き癖がついており、体腔内で該外套管から引き出されたときに、容易に展開することができないという不都合がある。
【０００７】
本発明は、かかる不都合を解消して、体腔内で容易に展開することができる組織回収袋を提供することを目的とする。
【課題を解決するための手段】
【０００８】
かかる目的を達成するために、本発明は、内視鏡下外科手術において切除された組織を収容する袋状体と、該袋状体の開口部縁辺に列設された複数の紐通し孔と、該紐通し孔に挿通されて該袋状体の開口部を開閉自在とする閉じ紐とを備え、該組織を該袋状体に収容して体外に摘出し、回収する組織回収袋において、前記袋状体は、前記開口部と反対側の端部を閉塞する第１のシーム部と、一方の側端縁に沿って延在する第２のシーム部とを備え、第２のシーム部と該側端縁との間に棒状部材を挿通可能なポケット部を備えることを特徴とする。
【０００９】
本発明の組織回収袋は、従来の組織回収袋と同様に、第１のシーム部を軸として円柱状に巻き取られる。そして、内径５ｍｍ程度の外套管内に収納され、外套管を切開孔から体腔内に導入した後、別の切開孔から体腔内に挿入された鉗子により該外套管から引き出され、展開されることにより使用に供される。
【００１０】
このとき、本発明の組織回収袋は、第２のシーム部により一方の側端縁との間にポケット部を備えるので、該ポケット部に棒状部材を挿通することにより、巻き癖を排除して容易に展開することができる。前記棒状部材としては、例えば、鉗子を用いることができる。
【００１１】
また、本発明の組織回収袋では、前記棒状部材を前記ポケット部に挿通するときに、該ポケット部の底部を突き破ることが懸念される。そこで、本発明の組織回収袋において、第２のシーム部は第１のシーム部に連接され、第１のシーム部から前記開口部方向に延在していることが好ましい。
【００１２】
第２のシーム部が第１のシーム部に連接されていることにより、前記ポケット部は前記袋状体の組織が収容される部分から独立して形成されることとなる。従って、前記ポケット部の底部が突き破られたとしても、前記袋状体に収容された組織や体液が外部に漏洩することを防止することができる。
【図面の簡単な説明】
【００１３】
【図１】本発明の組織回収袋の一構成例を示す斜視図。
【図２】本発明の組織回収袋の使用方法を示す斜視図。
【発明を実施するための形態】
【００１４】
次に、添付の図面を参照しながら本発明の実施の形態についてさらに詳しく説明する。
【００１５】
図１に示すように、本実施形態の組織回収袋１は、切除された組織を収容する袋状体２と、袋状体２の開口部３に沿って列設された複数の紐通し孔４と、紐通し孔４に挿通されて袋状体２の開口部３を開閉自在とする閉じ紐５とを備えている。袋状体２は、例えばポリエチレン等の無毒性で肉薄柔軟な樹脂からなる円筒状体において、開口部３と反対側の端部が熱溶着された第１のシーム部６により閉塞することにより形成されている。
【００１６】
また、袋状体２は第１のシーム部６に連接すると共に、開口部３方向に延在する第２のシーム部７とを備えている。この結果、第２のシーム部７と一方の側端縁８ａとの間に組織収容部９が画成されると共に、他方の側端縁８ｂとの間に、組織収容部９とは独立にポケット部１０が画成されている。
【００１７】
組織回収袋１は、使用に当たっては、例えば、第１のシーム部６を軸として円柱状に巻き取られ、内径５ｍｍ程度の外套管（図示せず）内に収納される。そして、前記外套管を切開孔から体腔内に導入した後、別の切開孔から体腔内に挿入された鉗子により該外套管から引き出され、展開される。
【００１８】
前記外套管から引き出された組織回収袋１は、図２（ａ）に示すように、巻き癖がついた状態となっており、このままでは鉗子等により展開することが難しい。そこで、本実施形態では、ポケット部１０に棒状部材、例えば鉗子１１を挿入する。
【００１９】
このとき、第２のシーム部７は、開口部３に至るまで形成されていてもよいが、本実施形態では、開口部３に沿って列設された紐通し孔４の手前（紐通し孔４の列に対して開口部３の反対側）までにとどめられている。この結果、第２のシーム部７が、開口部３に至るまで形成されている場合に比較して、ポケット部１０の入口を広くすることができ、鉗子１１を容易に挿入することができる。
【００２０】
第２のシーム部７が、開口部３に至るまで形成されている場合、鉗子１１は、開口部３に対して直交するように操作して、直接、ポケット部１０に挿入する必要がある。しかし、本実施形態のように、第２のシーム部７が、紐通し孔４の手前までにとどめられているときには、例えば、鉗子１１を開口部３に沿って組織収容部９側からポケット部１０方向に案内し、側端縁８ｂに至った時点で開口部３に直交する方向に操作すればよい。この結果、本実施形態の組織回収袋１では、鉗子１１をポケット部１０に容易に挿入することができる。
【００２１】
鉗子１１をポケット部１０に挿入することにより、組織回収袋１は、図２（ｂ）に示すように、鉗子１１により巻き癖を排除することができ、容易に展開することができる。組織回収袋１は、前述のように展開されたならば、ついで開口部３から組織収容部９に切除された組織を収容する。そして、他の鉗子（図示せず）を用いて閉じ紐５の把持部５ａを把持し、閉じ紐５を引くことにより開口部３を絞って閉じ、組織回収袋１を体外に摘出する。
【００２２】
鉗子１１により前記のようにして展開するとき、場合によっては、鉗子１１によりポケット部１０の底部を構成している第１のシーム部６を突き破ることがある。しかし、ポケット部１０は組織収容部９とは独立に画成されているので、底部が突き破られたとしても、組織収容部９に収容された組織や体液が袋状体２の外部に漏洩することは無い。
【００２３】
また、組織回収袋１は、使用に当たって、図２（ｂ）のようにポケット部１０に鉗子１１を挿入した状態で、鉗子１１を軸として矢示するように鉗子１１に巻き付けてもよい。この場合、組織回収袋１は、切開孔に挿入されたトロカール等を介して鉗子１１と共に、体腔内に導入される。そして、側端縁８ａを他の鉗子により把持した状態で、鉗子１１を図２（ｂ）に矢示する方向とは反対方向に回転させることにより、容易に組織回収袋１を展開することができる。
【００２４】
本実施形態の組織回収袋１では、第２のシーム部７が第１のシーム部６に連接されている場合について説明している。しかし、第２のシーム部７は、側端縁８ｂに沿って延在して鉗子１１が挿通されるポケット部１０を形成できればよく、第１のシーム部６に連接されていなくてもよい。但し、この場合は、鉗子１１によりポケット部１０の底部を構成している第１のシーム部６を突き破ると、組織収容部９に収容された組織や体液が袋状体２の外部に漏洩することがあるので注意が必要である。
【符号の説明】
【００２５】
１…組織回収袋、  ２…袋状体、  ３…開口部、  ４…紐通し孔、  ５…閉じ紐、  ６…第１のシーム部、  ７…第２のシーム部、  １０…ポケット部、  １１…鉗子（棒状部材）。
【図１】
0005400561.tif 000002
【図２】
0005400561.tif 000003